(57)【要約】【課題】  従来は、ユーザーがコピー動作を停止させる場合、本体のストップキーを押すことでストップさせていた。  この場合、本体がストップするまで時間を要するため、ユーザーが原稿をとりたくて、ジョブが終了するのを待ちきれずにＤＦのカバーをオープンし、ＪＡＭになるなどした。【解決手段】  ＤＦ専用のストップキーを設けることで、ユーザーがすぐに原稿をとることができ、上記問題を解決することができる。【選択図】  図１
2005328250.tif 000002
【特許請求の範囲】
【請求項１】
画像読み取り前の原稿束を積載するシート積載トレイと、積載された複数のシートを分離搬送する手段と、前記分離搬送されたシートは、読み取り装置により読み取られ、そのシートを排出する排出口と、このシートをスタックする排出部を持つシート搬送装置において、原稿シート搬送停止スイッチを有することを特徴とするシート搬送装置。
【請求項２】
上記シート搬送装置において、上記スイッチが押された場合、搬送中の原稿は、排紙部に排出し、その次の原稿は、シート積載トレイから搬送しないことを特徴とする請求項1に記載のシート搬送装置。
【請求項３】
請求項1に記載のシート搬送装置において、上記スイッチが押された場合、搬送中の原稿をストップさせることを特徴とする請求項1に記載のシート搬送装置。
【請求項４】
上記原稿シート搬送停止スイッチは、JAM処理用のとってを兼ねることを特徴とする請求項1,3に記載のシート搬送装置。
【発明の詳細な説明】
【技術分野】
【０００１】
本発明は、レーザビームプリンタ（ＬＢＰ）等の画像形成装置を備えた複写機等の画像読取装置に適用可能なシート搬送装置に関するものである。
【背景技術】
【０００２】
従来、シート搬送装置及び画像読取装置を備えた画像形成装置においては、画像形成後の出力形態（例えば、両面コピー、拡大/縮小コピー等）を入力し、原稿シートをシート搬送装置のシート載置台上にセットするだけで、後は自動で画像読取装置の読取部に搬送して画像を読み取り、読み取った画像を所望の出力形態で画像形成装置により画像形成（出力）するようになっている。
【０００３】
そして、前記搬送された原稿シートは、シート搬送装置の排出シートスタック部へ積載される（以下、この一連の動作を「ジョブ」と定義する）。
【０００４】
そして、ユーザーがジョブを中断する場合は、ユーザーが画像形成装置にあるストップキーを押すことで、既に画像形成装置内に給紙されたシートが全て排出された後、画像形成装置及び、原稿シート搬送装置のジョブが中断される。
【特許文献１】特開平０４−０８０１４３号公報
【発明の開示】
【発明が解決しようとする課題】
【０００５】
しかしながら、上記の場合、ジョブが中断されるまでに時間がかかるため、ユーザーが中断を待ちきれずに、原稿シート搬送装置内の原稿を取り出そうとし、ジャムになる。そして場合によっては原稿にダメージが残る。
【課題を解決するための手段】
【０００６】
そこで本出願に係わる請求項１の発明は、原稿シート搬送装置に、原稿シート搬送ストップキーを設けることで、画像形成装置と独立して、原稿シート搬送装置のジョブを中断させることを可能にし、ユーザーが早く原稿を取り出せるようにすることでジャムを低減させることを目的とする。
【０００７】
また本出願に係わる請求項２の発明は、原稿シート搬送装置のストップキーを押した場合、搬送中の原稿を排紙部に排出し、その次の原稿は、シート積載トレイから搬送しないことで、中断を早くすることでジャムを低減することを目的とする。
【０００８】
また本出願に係わる請求項3の発明は、上記記載のシート搬送装置において、上記スイッチが押された場合、搬送中の原稿をストップさせることで、中断を早くすることでジャムを低減することを目的とする。
【０００９】
また本出願に係わる請求項4の発明は、上記原稿シート搬送停止スイッチを、ジャム処理用のとってと兼ねることで、中断を待ちきれないユーザーが、原稿を取ろうとした場合でも、ジャム処理用のとってを触った段階で、搬送中のシートが停止することで、ジャムおよび原稿にダメージを与えることを防止することを目的とする。
【発明の効果】
【００１０】
以上説明したように、本出願に係わる請求項１の発明によれば、原稿シート搬送装置に原稿シート搬送ストップキーを設けることで、画像形成装置と独立して、原稿シート搬送装置のジョブを中断させることが可能となり、ユーザーが早く原稿を取り出せるようになり、原稿にダメージを与えることや、ジャムを低減させることができる。
【００１１】
また本出願に係わる請求項２の発明によれば、ユーザーが原稿シート搬送ストップキーを押した場合、搬送中の原稿を排紙部に排出し、その次の原稿は、原稿シート積載トレイから搬送しないことで、中断を早くすることができ、原稿シートの破損や、ジャムを低減することができる。
【００１２】
また本出願に係わる請求項３の発明によれば、上記記載のシート搬送装置において、上記スイッチが押された場合、搬送中の原稿をストップさせることで、中断が早く行えることで、原稿シートの破損やジャムを低減することができる。
【００１３】
また本出願に係わる請求項4の発明によれば、原稿シート搬送停止スイッチを、ジャム処理用のとってと兼ねることで、中断を待ちきれないユーザーが、原稿を取ろうとした場合でも、ジャム処理用のとってを触った段階で、搬送中のシートが停止することで、ジャムおよび原稿にダメージを与えることを防止できる。
【発明を実施するための最良の形態】
【００１４】
次に本発明の一実施形態に係わるシート搬送装置について、図面を参照して具体的に説明する。図１は、従来のシート搬送装置及びこれを搭載した画像形成装置の全体構成を示している。
【００１５】
一般的には、図示の通り、シート搬送装置（Ａ）は、画像形成装置（Ｈ）、読み取り装置（Ｂ）で構成された複写装置の上に搭載される。
【００１６】
前記シート搬送装置（Ａ）は、図示のように、原稿シートスタック手段（２）上に載置された原稿シート（１１）を分離搬送手段（３）により１枚ずつ搬送し、読み取り部で画像データとして読み取り、排出口（４）を通して、排出シートスタック手段（５）へと排出する。
【００１７】
しかしながら、従来例の場合には、ユーザーがジョブを中断したい場合、画像形成装置にあるジョブストップキー(図示せず)をユーザーが押すことで、既に画像形成装置内に給紙されたシートが全て印字され、排出された後、画像形成装置及び、原稿シート搬送装置のジョブが中断される。しかしながら、上記の場合、ジョブが完全に中断されるまでに時間を要する。画像形成装置内は、原稿搬送装置内に比べて、給紙から排紙までの紙搬送距離が非常に長いため、画像形成装置内のジョブの中断に時間を要する。そのため、ユーザーが中断を待ちきれずに、原稿シート搬送装置内の原稿を取り出そうとし、ジャムになる。そして場合によっては原稿にダメージが残るなど日常業務に大きな支障をきたすことも少なからず起きている。
【００１８】
そこで、本発明は、図２及び図３及び図４に示すように、原稿シート搬送装置にも、搬送ストップキーを設けることで、前記のような不都合を解消している。
【００１９】
図２の実施例は、原稿シート搬送装置上に、原稿シート搬送ストップキーを設けている。ユーザーがジョブを中断したい場合、図３、４に示すような流れで、ジョブが中断される。図３の場合、原稿シートスタック手段（２）上に載置された原稿シート（１１）を分離搬送手段（３）により１枚ずつ搬送し、読み取り部で画像データとして読み取り、排出口（４）を通して、排出シートスタック手段（５）へと排出したときに、原稿シート搬送ストップスイッチがONされているかどうかチェックし、ONされている場合、次の原稿シートを分離搬送するのを中止し、JOBを中断する。これにより、従来例に比べて、早くユーザーが原稿を取り出すことが出来、先に述べたようなジャムや、原稿の破損などを防止することができる。
【００２０】
図４の場合、原稿シートスタック手段（２）上に載置された原稿シート（１１）を分離搬送手段（３）により１枚ずつ搬送し、読み取り部で画像データとして読み取り、排出口（４）を通して、排出シートスタック手段（５）へと排出するフローの中で、常に原稿シート搬送スイッチがONされていないかどうかチェックし、ONされた場合、すみやかに原稿シートの搬送を止める。これにより、早くユーザーが原稿を取り出すことが出来、先に述べたようなジャムや、原稿の破損などを低減することができる。
【００２１】
また、図５のように、原稿シート搬送装置のジャム処理用のとってを、原稿シート搬送停止スイッチと兼ねることにより、ユーザーがジョブの中断をするために画像形成装置に配置されているジョブ停止スイッチを押した後、画像形成装置内に給紙されているシートが全て機外に排紙されるのを待ちきれずに、原稿シート搬送装置内の原稿シートを取り出そうとし、JAM処理用のとってをつかみ、カバーや、圧板を開こうとした場合でも、とってをつかんだ瞬間に、原稿シートの搬送が停止するために、原稿シートの破損やJAMを低減することができる。
【図面の簡単な説明】
【００２２】
【図１】従来例の原稿シート搬送装置及び読み取り装置及び画像形成装置の全体構成を示す図。
【図２】本発明の第二の実施例に係る原稿シート搬送装置及び読み取り装置及び画像形成装置の全体構成を示す図。
【図３】原稿シート搬送装置のJOB中断のフローチャート１
【図４】原稿シート搬送装置のJOB中断のフローチャート２
【図５】本発明の第4の実施例に係る原稿シート搬送装置及び読み取り装置及び画像形成装置の全体構成を示す図。
【符号の説明】
【００２３】
Ａ  シート搬送装置
Ｂ  読み取り装置
Ｃ  給紙カセット
Ｄ  現像器
Ｅ  感光体
Ｆ  書き込み部
Ｇ  定着器
Ｈ  画像形成装置
１１  原稿シート
１２  排出シート
２  原稿シートスタック手段
３  分離搬送手段
３１  給紙部
３２  分離部
４  排出口
５  排出シートスタック手段
６１  原稿シート搬送ストップスイッチ
６２  シート搬送装置回動用とって
【図１】
2005328250.tif 000003
【図２】
2005328250.tif 000004
【図３】
2005328250.tif 000005
【図４】
2005328250.tif 000006
【図５】
2005328250.tif 000007